(57)【要約】【課題】  量産性を向上させることができる圧縮機、該圧縮機を備えた空気調和装置、および圧縮機のオイルセパレータを提供する。【解決手段】  ハウジング内に、圧縮室と、該圧縮室で圧縮された冷媒が吐出される吐出キャビティと、前記圧縮室と吐出キャビティとを区画するとともに、前記圧縮された冷媒を前記圧縮室から前記吐出キャビティに吐出する吐出ポート２５が形成された固定スクロールの端板１２ａ（隔壁）と、オイルセパレータ３０を備える。オイルセパレータ３０は、端板１２ａとの間で冷媒を蛇行状に案内することで冷媒に混入している冷凍機油を分離する。分離された冷凍機油は油抜き孔３７〜３９から下方に落下し、冷媒は冷媒吐出口４２，４３から上方に吐出される。【選択図】      図１
2005240678.tif 000002
【特許請求の範囲】
【請求項１】
ハウジング内に、圧縮室と、該圧縮室で圧縮された流体が吐出される吐出キャビティと、前記圧縮室と吐出キャビティとを区画するとともに、前記圧縮された流体を前記圧縮室から前記吐出キャビティに吐出する吐出ポートが形成された隔壁とを備えた圧縮機において、
前記隔壁との間で前記流体を蛇行状に案内することで前記流体に混入している潤滑油を該流体から分離するオイルセパレータが前記隔壁に固定されていることを特徴とする圧縮機。
【請求項２】
前記隔壁の前記吐出キャビティ側の側面には、前記吐出ポートを開閉する吐出弁が設けられ、前記オイルセパレータは、開いた前記吐出弁を支持するリテーナ部を備えていることを特徴とする請求項１に記載の圧縮機。
【請求項３】
前記オイルセパレータの一側面に流体を蛇行状に案内する蛇行溝が形成され、前記吐出ポートの開口を前記蛇行溝と向かい合わせた状態で前記オイルセパレータが前記隔壁の前記吐出キャビティ側の側面に固定され、
前記オイルセパレータには、前記流体から分離された潤滑油を前記蛇行溝から排出する油抜き孔が設けられていることを特徴とする請求項１または２に記載の圧縮機。
【請求項４】
前記蛇行溝は、前記吐出ポートの開口から左右方向に延びて形成されていることを特徴とする請求項３に記載の圧縮機。
【請求項５】
前記吐出キャビティは前記オイルセパレータによって二つの空間に仕切られ、潤滑油が分離された前記流体が、前記オイルセパレータから前記二つの空間の一方に排出され、前記流体から分離された前記潤滑油が同他方に排出されることを特徴とする請求項１から４のいずれかに記載の圧縮機。
【請求項６】
前記ハウジング内に、端板の一側面に渦巻き状の壁体が立設された固定スクロールと、端板の一側面に渦巻き状の壁体が立設され、前記各壁体どうしをかみ合わせて自転を阻止されつつ公転旋回運動可能に支持された旋回スクロールとを備え、
前記隔壁は、前記固定スクロールの前記端板であることを特徴とする請求項１から５のいずれかに記載の圧縮機。
【請求項７】
冷媒と室内気との間で熱交換を行う室内熱交換器と、冷媒と室外気との間で熱交換を行う室外熱交換器と、冷媒を圧縮し吐出する圧縮機と、冷媒を減圧膨張させる膨張機構を備えた空気調和装置において、
前記圧縮機は、請求項１から６のいずれかに記載の圧縮機であることを特徴とする空気調和装置。
【請求項８】
一側面に流体を蛇行状に案内する蛇行溝が形成され、該蛇行溝内で前記流体から分離された潤滑油を、該蛇行溝から排出する油抜き孔を備え、前記蛇行溝を圧縮室の吐出ポートの開口に向かい合わせて固定されることを特徴とする圧縮機のオイルセパレータ。
【発明の詳細な説明】
【技術分野】
【０００１】
本発明は、空気調和装置等に具備される圧縮機に関し、特に潤滑油を分離するオイルセパレータの構造に関する。
【背景技術】
【０００２】
スクロール圧縮機は、固定スクロールと旋回スクロールとを渦巻状の壁体どうしを組み合わせ、各壁体によって密閉状態の圧縮室を形成する。
そして、固定スクロールに対し旋回スクロールを公転旋回運動させることで壁体間に形成される圧縮室の容積を減少させつつ中央部に移動させて該圧縮室内の冷媒（流体）を圧縮させるものである。
スクロール圧縮機において、冷凍機油（潤滑油）は圧縮機の潤滑に必要不可欠であるため、冷媒とともにハウジング内部に封入されている。圧縮された冷媒から冷凍機油を分離して、冷媒を圧縮機外に送ると共に冷凍機油を圧縮機内に溜めるため、オイルセパレータが内蔵された圧縮機がある。
図５にこのような従来の圧縮機の断面図を示した。図において符号１は固定スクロール、符号２は圧縮された冷媒が吐出される吐出ポートである。また符号３は所定の大きさ以上の圧力が作用した場合にのみ吐出ポート２を開く吐出弁であり、吐出弁３の背後は開いた吐出弁３を支持するリテーナ４が設けられている。吐出ポート２から吐出された冷媒は、固定スクロール１の背面側に設けられたオイルセパレータ５を通過する過程で冷凍機油が分離され、吐出口６から圧縮機外に送りだされる。分離された冷凍機油は、ハウジング下部の油貯め室７に溜まり、固定スクロール１に設けられた油戻し流路８を通って不図示の旋回スクロール駆動機構へ送られる。
【特許文献１】特開２００１−２２７４８４号公報
【発明の開示】
【発明が解決しようとする課題】
【０００３】
このような従来のスクロール圧縮機では、オイルセパレータ５がハウジングと一体構造の鋳物であるため、量産性が高くないという問題があった。
【０００４】
本発明は上記事情に鑑みてなされたものであり、量産性を向上させることができる圧縮機、該圧縮機を備えた空気調和装置、および圧縮機のオイルセパレータを提供することを目的とする。
【課題を解決するための手段】
【０００５】
本発明においては上記の課題を解決するために以下の手段を採用した。
請求項１に記載の発明は、ハウジング内に、圧縮室と、該圧縮室で圧縮された流体が吐出される吐出キャビティと、前記圧縮室と吐出キャビティとを区画するとともに、前記圧縮された流体を前記圧縮室から前記吐出キャビティに吐出する吐出ポートが形成された隔壁とを備えた圧縮機において、前記隔壁との間で前記流体を蛇行状に案内することで前記流体に混入している潤滑油を該流体から分離するオイルセパレータが前記隔壁に固定されていることを特徴とする。
【０００６】
本発明によればオイルセパレータがハウジングと別部材として隔壁（例えば固定スクロール端板）に固定される。流体は蛇行状に案内される際に、蛇行の折返し部で遠心力により潤滑油が分離される。
【０００７】
請求項２に記載の発明は、請求項１に記載のスクロール圧縮機において、前記隔壁の前記吐出キャビティ側の側面には、前記吐出ポートを開閉する吐出弁が設けられ、前記オイルセパレータは、開いた前記吐出弁を支持するリテーナ部を備えていることを特徴とする。
【０００８】
吐出弁は所定の大きさ以上の圧力が作用した場合にのみ吐出ポートを開き、その際にリテーナ部が吐出弁を支持することで、吐出弁の必要以上の変位を抑える。
【０００９】
請求項３に記載の発明は、請求項１または２に記載のスクロール圧縮機において、前記オイルセパレータの一側面に流体を蛇行状に案内する蛇行溝が形成され、前記吐出ポートの開口を前記蛇行溝と向かい合わせた状態で前記オイルセパレータが前記隔壁の前記吐出キャビティ側の側面に固定され、前記オイルセパレータには、前記流体から分離された潤滑油を前記蛇行溝から排出する油抜き孔が設けられていることを特徴とする。
【００１０】
本発明によれば、蛇行溝と隔壁との間に蛇行状の流路が形成される。該流路内で分離された潤滑油は、オイルセパレータに設けられた油抜き孔からオイルセパレータ外部に排出される。
【００１１】
請求項４に記載の発明は、請求項３に記載のスクロール圧縮機において、前記蛇行溝は、前記吐出ポートの開口から左右方向に延びて形成されていることを特徴とする。
【００１２】
本発明によれば、流路を分けたことによりオイルセパレータを蛇行溝の深さ方向に小型化でき、また流路が急縮小し圧損が増大するのを防止することができ、さらに流体の流速を下げることができる。さらに蛇行流路の折返し部の合計数も増やすことができる。
なお左右両側に一つずつの蛇行溝を設けてもよいし、それ以上（例えば左右に二つずつ以上の溝）でもよい。
【００１３】
請求項５に記載の発明は、請求項１から４のいずれかに記載のスクロール圧縮機において、前記吐出キャビティは前記オイルセパレータによって二つの空間に仕切られ、潤滑油が分離された前記流体が、前記オイルセパレータから前記二つの空間の一方に排出され、前記流体から分離された前記潤滑油が同他方に排出されることを特徴とする。
【００１４】
前記二つの空間の他方側には、潤滑油が溜められる油貯め室が位置する。流体が前記一方の空間に排出されることで、流体の脈動が前記油貯め室の油面を荒らさない。
【００１５】
請求項６に記載の発明は、請求項１から５のいずれかに記載の圧縮機において、前記ハウジング内に、端板の一側面に渦巻き状の壁体が立設された固定スクロールと、端板の一側面に渦巻き状の壁体が立設され、前記各壁体どうしをかみ合わせて自転を阻止されつつ公転旋回運動可能に支持された旋回スクロールとを備え、前記隔壁は、前記固定スクロールの前記端板であることを特徴とする。
【００１６】
本発明によれば、オイルセパレータがハウジングと別部材として固定スクロール端板に固定される。流体は蛇行状に案内される際に、蛇行の折返し部で遠心力により潤滑油が分離される。
【００１７】
請求項７に記載の発明は、冷媒と室内気との間で熱交換を行う室内熱交換器と、冷媒と室外気との間で熱交換を行う室外熱交換器と、冷媒を圧縮し吐出する圧縮機と、冷媒を減圧膨張させる膨張機構を備えた空気調和装置において、前記圧縮機は、請求項１から６のいずれかに記載の圧縮機であることを特徴とする。
【００１８】
本発明の空気調和装置によれば、オイルセパレータを別部品として取り付ける構成であるから、量産性が向上する。
【００１９】
請求項８に記載の圧縮機のオイルセパレータは、一側面に流体を蛇行状に案内する蛇行溝が形成され、該蛇行溝内で前記流体から分離された潤滑油を、該蛇行溝から排出する油抜き孔を備え、前記蛇行溝を圧縮室の吐出ポートの開口に向かい合わせて固定されることを特徴とする。
【００２０】
本発明によればオイルセパレータが別部材として固定される。流体は蛇行状に案内される際に、蛇行の折返し部で遠心力により潤滑油が分離され、分離した潤滑油は油抜き孔から排出される。
【発明の効果】
【００２１】
本発明においては以下の効果を得ることができる。
オイルセパレータがハウジングと別部材として隔壁に固定される構成であるから、ハウジングの構造が簡略化し、量産性を向上させることができる。
また、オイルセパレータにリテーナ部を設けることにより、吐出弁をオイルセパレータにより支持することができる。
さらにまた、オイルセパレータが吐出キャビティを二つの空間に仕切り、一方に流体、他方に潤滑油を排出するから、吐出した流体の脈動が他方の空間に貯められた油の油面を荒らすことを防止することができる。
【発明を実施するための最良の形態】
【００２２】
本発明に係る横置き型スクロール圧縮機の実施形態について、図面を用いて説明する。
図１は本実施形態の横置き型スクロール圧縮機に使用されるオイルセパレータ３０の断面図、図２は同オイルセパレータ３０の一部を破断した斜視図、図３は横置き型スクロール圧縮機の全体構成を示した断面図、図４は図３のＣ−Ｃ線に沿った断面図である。
まずスクロール圧縮機の全体構成について図３を用いて説明する。図において符号１１はハウジングを示しており、このハウジング１１は、カップ状に形成されたハウジング本体１１ａと、ハウジング本体１１ａの開口端側に固定された蓋板１１ｂとで構成されている。
【００２３】
ハウジング１１の内部には、固定スクロール１２および旋回スクロール１３からなるスクロール圧縮機構が配設されている。固定スクロール１２は端板（隔壁）１２ａの一側面に渦巻き状の壁体１２ｂが立設された構成となっている。旋回スクロール１３は、固定スクロール１２と同様に端板１３ａの一側面に渦巻き状の壁体１３ｂが立設された構成となっており、特に壁体１３ｂは固定スクロール１２側の壁体１２ｂと実質的に同一形状をなしている。
【００２４】
また、旋回スクロール１３は固定スクロール１２に対して相互に公転旋回半径だけ偏心しかつ１８０゜だけ位相をずらした状態で、壁体１２ｂ，１３ｂどうしをかみ合わせて組み付けられており、蓋板１１ｂと端板１３ａとの間に設けられた自転阻止機構１５によって自転を阻止されつつ公転旋回運動可能に支持されている。
【００２５】
蓋板１１ｂにはクランク１６ａを備える回転軸１６が貫通され、軸受１７ａ，主玉軸受１７ｂを介して蓋板１１ｂに回転自在に支持されている。
【００２６】
旋回スクロール１３側の端板１３ａの他端面の中央にはボス１８が突設されている。ボス１８にはクランク１６ａの偏心部１６ｂが軸受２０およびドライブブッシュ１９を介して回動自在に収容されており、旋回スクロール１３は回転軸１６を回転させることによって公転旋回運動するようになっている。また、ドライブブッシュ１９には、旋回スクロール１３に与えられたアンバランス量を打ち消すバランスウェイト２１が取り付けられている。
【００２７】
ハウジング１１の内部には、旋回スクロール１３の周囲に吸入室２２が形成されている。さらに、ハウジング本体１１ａと端板１２ａの他側面とに区画されて吐出キャビティ２３が形成されている。また吐出キャビティ２３の下部空間には、冷凍機油（潤滑油）が溜まる油貯め室２４が設けられており、油貯め室２４に溜められた冷凍機油は、固定スクロール１２に設けられた油戻し流路２７を通って旋回スクロール１３側に戻され、主玉軸受１７ｂ、ドライブブッシュ１９等の駆動機構の潤滑に用いられる。
【００２８】
端板１２ａの中央には容積を漸次減少させながら中心部に移動してきた圧縮室Ｃから吐出キャビティ２３に向けて高圧の冷媒（流体）を導く吐出ポート２５が設けられている。また、端板１２ａの他側面中央には、所定の大きさ以上の圧力が作用した場合にのみ吐出ポート２５を開く吐出弁２６が設けられている。また符号３０は固定スクロール端板１２ａの他側側面に固定されたオイルセパレータである。
固定スクロール１２および旋回スクロール１３は、壁体１２ｂ、１３ｂを互いに接触させることで複数の圧縮室Ｃを形成した状態で噛み合わせられている。
【００２９】
上記のように構成されたスクロール圧縮機においては、回転軸１６を回転させ、旋回スクロール１３を公転旋回運動させる。これにより、圧縮室Ｃはその容積を徐々に減少させつつ中央部に移動し、冷媒が圧縮されて吐出ポート２５から吐出される。
【００３０】
次に、オイルセパレータ３０の構成について詳細に説明する。
オイルセパレータ３０は、吐出ポートから吐出された冷媒を蛇行状に案内することで冷媒から冷凍機油を分離するものである。図１の(ａ)に示したように、オイルセパレータ３０の一側面には、中央部に吐出弁２６を収容する中央溝３１が設けられている。また、この中央溝３１に連続して左右方向に対称に延び、冷媒を蛇行状に案内する蛇行溝３２，３３が形成されている。中央溝３１は蛇行溝３２，３３とともに蛇行流路を構成する。吐出ポート２５は中央溝３１と向かい合った状態となっている。
中央溝３１の内壁はリテーナ部３５となっており、図１（ｂ）および図２に示したように、中央溝３１の内壁（リテーナ部３５）は、吐出弁２６が開いたときに吐出弁２６と面接触して支持するような曲面形状となっている。またリテーナ部３５には固定スクロール１２に固定するためのボルト４５が挿入されるボルト孔３６を有する。
【００３１】
蛇行溝３２，３３は、図のようにオイルセパレータ３０の上部および下部に折り返し部３２ａ〜３２ｃ、３３ａ〜３３ｃを有して上下に往復する流路を構成する蛇行形状となっており、後述のように固定スクロール１２の端板１２ａとオイルセパレータ３０の一側面とが当接されると、蛇行溝３２，３３の溝面と端板１２ａとのあいだで蛇行流路が形成される。
蛇行溝３２，３３には、オイルセパレータ３０内で冷媒から分離された冷凍機油をオイルセパレータ３０の下方に排出する油抜き孔３７、３８，３９が設けられている。各油抜き孔３７〜３９は、白と黒の矢印で示した冷媒の流れと直接対向しない位置に設けられている。なお、図では理解容易のために大きく示されているが、実際は幅１２ｍｍの蛇行溝３２，３３に対して油抜き孔３７〜３９の幅は２ｍｍ程度となっている。
また、蛇行溝３２，３３の終端は、オイルセパレータ３０の上方に開口する冷媒吐出口４２，４３となっている。
言い換えれば、オイルセパレータ３０内の冷媒流路が複数の折り返し屈曲部３２ｂ，３２ｃ，３３ｂ，３３ｃを有し、これを対称配置する構成を採用している。
なお吐出弁２６と端板１２ａとの間には、吐出弁２６と端板１２ａとが張り付かないように隙間４４が保持されている。
【００３２】
次に、オイルセパレータ３０の取り付け状態について説明する。図１のようにオイルセパレータ３０はボルト孔３６および吐出弁２６に設けられたボルト孔２６ａにボルト４５が挿入され、固定スクロール１２の端板１２ａに設けられたボルト穴４６に螺合している。すなわちボルト４５がオイルセパレータ３０と吐出弁２６とを固定スクロール１２に固定している。ボルト孔３６と吐出ポート２５とはオイルセパレータ３０の中心線上に位置し、蛇行溝３２，３３は該中心線に対して線対称に設けられている。
図４に固定スクロール１２の背面側から見た図を示した。図において、符号４８〜５０はハウジング本体１１ａ側に設けられた固定スクロール１２を固定するための脚である。オイルセパレータ３０は、下部の両隅において二つの脚４９，５０と接触した状態で固定されている。すなわち、吐出キャビティ２３が、前記オイルセパレータ３０によって二つの空間５２，５３に仕切られ、オイルセパレータ３０から冷凍機油が分離された冷媒が、上方の空間５２に排出され、冷媒から分離された冷凍機油が下方の空間５３に排出されるようになっている。また上方の空間５２には、圧縮された冷媒をスクロール圧縮機から吐出する吐出口（不図示）が設けられており、下方の空間５３は前述の油貯め室２４として機能する。
【００３３】
次に、本オイルセパレータ３０の作用について説明する。
スクロール圧縮機を動作させると、上述のように旋回スクロール１３と固定スクロール１２との間に形成された圧縮室Ｃの容積が徐々に減少し、中心部に移動する。圧力が所定以上となると、吐出弁２６の封止力に対向して圧縮室Ｃ内の冷媒が吐出弁２６を開き、吐出ポート２５を経て圧縮室Ｃからオイルセパレータ３０内に吐出する。このとき、開いた吐出弁２６はオイルセパレータ３０のリテーナ部３５に支持されることで、吐出弁２６に過度の変形力が作用することを防止する。
オイルセパレータ３０内に吐出された冷媒は、ミスト状の冷凍機油を含んでいる。この冷媒は、蛇行溝３２、３３によって蛇行状に案内される。まず折り返し部３２ａ、３３ａで上方に案内され、その際に遠心力によって冷媒から冷凍機油が分離され、冷凍機油は壁面に付着する。冷媒は折り返し部３２ｂ、３３ｂで下方に折り返され、続いて折り返し部３２ｃ、３３ｃで再び上方に折り返される。これらの場合にも遠心力によって冷凍機油が分離され、壁面に付着する。
【００３４】
このようにして分離された冷凍機油は、重力によって壁面伝いに下方に流れ、油抜き孔３７〜３９からオイルセパレータ３０の下方に流れる。流れ出た冷凍機油は、ハウジング内の油溜まり室２４に溜められる（図３および図４参照）。
冷凍機油が分離された後の冷媒は、冷媒吐出口４２，４３からオイルセパレータ３０の上方の空間５２に吐出される。吐出された冷媒はハウジングに設けられた吐出口から圧縮機外に送り出される。
吐出弁２６は間断的に開となるため、冷媒吐出口４２，４３から吐出される冷媒は脈動を起こす。冷媒の脈動が下方の空間の油貯め室２４の油面に伝わってしまうと油面が荒らされてしまうが、本実施形態ではオイルセパレータ３０によって上下の空間５２，５３に仕切られていることで、吐出した冷媒が油貯め室２４の油面を荒らすことがない。
なお、図１において、黒矢印は冷凍機油を含んだ冷媒の流れを示し、白矢印は冷凍機油が分離された冷媒の流れを示す。
【００３５】
以上のように、本実施形態においては、オイルセパレータ３０が別部品として固定スクロール１２に対して固定される構成であるから、ハウジングと一体に製造する従来の圧縮機よりも量産性を向上させることができる。
また、吐出ポート２５から吐出した冷媒を二つの蛇行溝３２，３３で左右対称に案内する構成である。すなわち、冷媒を二つの流路に分けて案内するので、一つの流路で案内する場合よりもオイルセパレータ３０を小型化することができ、また一つの流路よりも流速を下げることができるから、分離した冷凍機油が再度冷媒に混入することを防止できる（冷媒の流速が速いと冷凍機油が巻き上げられ、ミスト状となって冷媒に混入してしまう）。さらに冷媒の流れがオイルセパレータ３０に作用する力も左右対称となるから、オイルセパレータ３０の固定状態を安定に保つことができる。
さらにまた、上記のようにオイルセパレータ３０が吐出キャビティ２３を上下の空間５２，５３に仕切っていることで、オイルセパレータ３０から吐出した冷媒の脈動が油貯め室２４の油面を荒らすことを防止することができる。なお、図３では、オイルセパレータ３０の背面（図３において右側）とハウジング本体１１ａの端壁内面（図３において右側）との間に隙間が形成されているが、これはあくまでもオイルセパレータ３０とハウジング本体１１ａとが別部材であることを強調するために便宜上示しているだけであり、実際には隙間がほとんど無くなるように配置される。
【００３６】
さらに、このような圧縮機を備えた空気調和装置として、冷媒と室内気との間で熱交換を行う室内熱交換器と、冷媒と室外気との間で熱交換を行う室外熱交換器と、冷媒を減圧膨張させる膨張機構と、さらに冷媒を圧縮し吐出する圧縮機として本実施形態の横置き型スクロール圧縮機を備えた空気調和装置とすることができる。これによれば、オイルセパレータとハウジングを一体に製造する従来の空気調和装置よりも量産性を向上させることができる。
【００３７】
なお、オイルセパレータ３０に形成する蛇行溝３２，３３について、折り返し部の数は上記の例に限らないのは言うまでもない。上記の例より多くまたは少なく構成してもよい。また、二つの蛇行溝３２，３３を設けたが、それ以上の溝（左右に二つずつ等）を設けてもよい。または蛇行溝を一つのみ設けてもよい。
また、リテーナ部３５の外壁は内壁と同様に曲面形状となっているが、内壁のみを曲面形状としてもよい。この場合はオイルセパレータ３０の外形は立方体形状となる。しかしながら本実施形態のようにリテーナ部３５の外壁を内壁形状に合わせて曲面形状とすることで、軽量化、材料コストの削減等の利点がある。
さらにまた、上記のオイルセパレータ３０を適用する圧縮機はスクロール型の圧縮機に限るものではない。
【図面の簡単な説明】
【００３８】
【図１】本発明の実施形態として示した横置き型スクロール圧縮機に用いられるオイルセパレータについて示した図であり、(ａ）は（ｂ）のＡ−Ａ線矢視断面図、（ｂ）は(ａ)のＢ−Ｂ線矢視断面図である。
【図２】同オイルセパレータの一部を破断した斜視図である。
【図３】同横置き型スクロール圧縮機の全体構成を示す縦断面図である。
【図４】同横置き型スクロール圧縮機のオイルセパレータの取り付け状態について示した図であり、図３のＣ−Ｃ線矢視断面図である。
【図５】従来のスクロール圧縮機の一部を示した断面図である。
【符号の説明】
【００３９】
１１  ハウジング
１２    固定スクロール
１２ａ  端板（隔壁）
１２ｂ  壁体
１３    旋回スクロール
１３ａ  端板
１３ｂ  壁体
２５  吐出ポート
２６  吐出弁
３０  オイルセパレータ
３２，３３  蛇行溝
３５  リテーナ部
３７〜３９  油抜き孔
【図１】
2005240678.tif 000003
【図２】
2005240678.tif 000004
【図３】
2005240678.tif 000005
【図４】
2005240678.tif 000006
【図５】
2005240678.tif 000007